(57)【特許請求の範囲】
【請求項１】
遊技機に装着される図柄表示装置に組み込まれる表示ユニットであり、
複数の図柄と各図柄に対応して配された図柄マークと該図柄マークの配列順位の基準となる基準マークとを有する無端の表示ベルトと、該表示ベルトを回動する駆動プーリと、該駆動プーリと共に前記表示ベルトを支承するアイドラプーリと、前記駆動プーリを回転駆動するモータと、前記基準マークを検出する基準位置センサと、前記図柄マークを検出する図柄位置センサとを備える表示ユニットにおいて、
前記駆動プーリおよび前記アイドラプーリの前記基準マークおよび前記図柄マークの軌跡に対応する位置に溝を設け、
前記駆動プーリおよび前記アイドラプーリの端部と前記溝との間に前記表示ベルトの縁部を支持する支持域を設けたことを特徴とする表示ユニット。
【請求項２】
請求項１記載の表示ユニットにおいて、
前記駆動プーリおよび前記アイドラプーリの前記溝内に該プーリの内側に貫通する穴を設けたことを特徴とする表示ユニット。
【請求項３】
請求項１または２記載の表示ユニットを３個並置した構造を有する図柄表示装置と、
前記表示ユニット毎に、前記複数の図柄から選択される目標図柄に対応する図柄マークの前記配列順位を指示する停止位置指示手段と、
前記表示ユニット毎に、前記基準位置センサにより前記基準マークが検出された後に、前記図柄位置センサが、前記停止位置指示手段によって指示された配列順位に応じた数の図柄マークを検出したときに、前記駆動プーリを停止させるべく前記モータの稼動を制御するモータ制御手段と
を備えることを特徴とする遊技機。
【発明の詳細な説明】
【０００１】
【発明の属する技術分野】
パチンコ機等の遊技機においては、複数の図柄を変動表示する図柄表示装置を備えるものがある。この図柄表示装置としては、液晶表示盤を有するもの、ＬＥＤ表示盤を有するものなど電気的な表示動作をするもの、例えば特開平６−２７７３２８号公報に開示されるように、図柄を記載されたベルトを回転させる形式のものが知られている。本発明はベルトを回転させるベルト式の図柄表示装置に関する。
【０００２】
【従来の技術】
従来、特開平６−２７７３２８号公報に開示される図柄表示装置では、駆動プーリとアイドラプーリによって表示ベルトを支承し、モータによって駆動プーリを回転駆動することにより、表示ベルトを回動させていた。
【０００３】
また、ベルトの停止位置を決定するための情報として、ベルトに基準マークと図柄マークとを設けておき、モータ制御手段が、基準位置センサにより基準マークが検出されてから図柄位置センサによって所定数の図柄マークが検出されたときに駆動プーリを停止させるべくモータの稼動を制御することでベルトを所定の位置で停止させていた。
【０００４】
【発明が解決しようとする課題】
しかしながら、従来のベルト式の図柄表示装置においては、例えば表示ベルトは駆動プーリとの摩擦により表示ベルトが削られて生ずるごみ、外来のほこり等のごみ、たばこの煙に含まれるタール分等が表示ベルトに付着すると、基準マークや図柄マークが正常に検出できないことがあった。このような場合には、ベルトを正確に停止させることすなわち所望の図柄を正しく表示することができなかった。
【０００５】
このような問題点を解決するためになされた本発明は、ベルト式の図柄表示装置において、ごみ等によるマークの検出異常を防止し、ベルトを正確に停止させ、所望の図柄を正しく表示することを目的としている。
【０００６】
【課題を解決するための手段】
上記課題を解決するための手段として、請求項１の表示ユニットは、遊技機に装着される図柄表示装置に組み込まれる表示ユニットであり、複数の図柄と各図柄に対応して配された図柄マークと該図柄マークの配列順位の基準となる基準マークとを有する無端の表示ベルトと、該表示ベルトを回動する駆動プーリと、該駆動プーリと共に前記表示ベルトを支承するアイドラプーリと、前記駆動プーリを回転駆動するモータと、前記基準マークを検出する基準位置センサと、前記図柄マークを検出する図柄位置センサとを備える表示ユニットにおいて、前記駆動プーリおよび前記アイドラプーリの前記基準マークおよび前記図柄マークの軌跡に対応する位置に溝を設け、前記駆動プーリおよび前記アイドラプーリの端部と前記溝との間に前記表示ベルトの縁部を支持する支持域を設けたことを特徴とする。
【０００７】
請求項２記載の表示ユニットは、請求項１記載の表示ユニットにおいて、前記駆動プーリおよび前記アイドラプーリの前記溝内に該プーリの内側に貫通する穴を設けたことを特徴とする。
請求項３記載の遊技機は、請求項１または２記載の表示ユニットを３個並置した構造を有する図柄表示装置と、前記表示ユニット毎に、前記複数の図柄から選択される目標図柄に対応する図柄マークの前記配列順位を指示する停止位置指示手段と、前記表示ユニット毎に、前記基準位置センサにより前記基準マークが検出された後に、前記図柄位置センサが、前記停止位置指示手段によって指示された配列順位に応じた数の図柄マークを検出したときに、前記駆動プーリを停止させるべく前記モータの稼動を制御するモータ制御手段とを備えることを特徴とする。
【０００８】
【発明の実施の形態】
上記の構成になる請求項１記載の表示ユニットは図柄表示装置に組み込まれ、その図柄表示装置は遊技機に装着されるのであるが、この表示ユニットにおいては、駆動プーリおよびアイドラプーリの基準マークおよび図柄マークの軌跡に対応する位置に設けられた溝が、基準マークおよび図柄マークをつけられている部分の表示ベルトとプーリとが接触することを防止する。このため、駆動プーリまたはアイドラプーリと表示ベルトとの間に進入したごみ等が表示ベルトに押し付けられるのを防止する。また、溝に進入したごみ等があっても、このようなごみ等が表示ベルトに接触することもない。さらに、溝の存在により基準マークおよび図柄マークがプーリとの接触に伴う摩擦によって削られて例えば剥落する等は防止される。
【０００９】
したがって、基準マーク、図柄マークがごみ等で汚れたり、基準マークおよび図柄マークの軌跡とほぼ同じ軌跡で回動する部分に汚れが付着することもない。基準位置センサおよび図柄位置センサが、基準マークや図柄マークを正確に検出できなかったり、汚れ等をいずれかのマークとして誤検出することもない。したがって、表示ベルトを正確に停止させ所望の図柄を正しく表示することができる。
【００１０】
しかも、駆動プーリおよびアイドラプーリの端部と溝との間に設けられた支持域が表示ベルトの縁部を支持するので、表示ベルトの縁部が溝内に落下したりプーリから離れて踊ることもない。したがって、表示ベルトの縁部が変形したり傷ついたりすることは防止される。さらに、請求項２記載のように溝内にプーリの内側に貫通する穴を設ければ、溝に落ち込んだごみ等がプーリの内側に落下し、溝に蓄積されることがなくなる。
【００１１】
請求項３記載の遊技機に装備される図柄表示装置は請求項１または２記載の表示ユニットを３個並置した構造を有しており、停止位置指示手段が、表示ユニット毎に、複数の図柄から選択される目標図柄に対応する図柄マークの配列順位を指示すると、モータ制御手段は、表示ユニット毎に、基準位置センサにより基準マークが検出された後に、図柄位置センサが、停止位置指示手段によって指示された配列順位に応じた数の図柄マークを検出したときに、駆動プーリを停止させるべくモータの稼動を制御する。
【００１２】
このため、各表示ユニット毎に別々の図柄を表示させることが可能となる。したがって、例えば横一列に表示される３図柄の同一をもって大当たりの表示とする等、複数の図柄を同時に表示することを要求される用途に適している。
【００１３】
【実施例】
次に、本発明の実施例により発明の実施の形態をさらに具体的に説明する。
図１に示すように、この実施例の図柄表示装置１０は、本発明の遊技機としてのパチンコ機１２の遊技盤１４のほぼ中央に取り付けられる。図１および図５に示すように、図柄表示装置１０は、３つの表示ユニット１６が並置された構造であり、各表示ユニット１６はケース１８に収容されて遊技盤１４に取付けられている。この図柄表示装置１０では、各表示ユニット１６の図柄が、横一列あるいは対角線にそって同一となれば大当たりの表示とされる。
【００１４】
図２、図３、図４および図５に示すように、各表示ユニット１６はプリント回路を有する基板２０を備えている。この基板２０は、また表示ユニット１６の各部を支持する支持部材を兼ねている。基板２０には、矩形コーン状の照明枠２２が取り付けられており、各照明枠２２は、それぞれ一対の電球２４を保持している。
【００１５】
図２、図３および図４に示すように、基板２０には、ステッピングモータ２６、発光部と受光部とを備える光センサ２９、３０が取り付けられている。
図４に示すように、基板２０にはステッピングモータ２６、電球２４および光センサ２９、３０用の配線３２、３４、３６がプリントされている。図４および図５に示すように、基板２０には端子板３８が設けられている。図４に示すように、各配線３２、３４、３６は端子板３８に接続されている。また図５に示すように端子板３８はフラットケーブル４０により制御基板４２に接続されている。
【００１６】
図３および図４に示すように、ステッピングモータ２６には駆動プーリ４４が取り付けられている。詳しくは、ステッピングモータ２６の出力軸２６ａに固着された連結板２６ｂに、駆動プーリ４４のハブ４６がビス４８で取り付けられている。また、基板２０にはアイドラプーリ５０が軸心廻りに回動自在に取り付けられており、アイドラプーリ５０の軸心と駆動プーリ４４の軸心とはほぼ平行である。
【００１７】
図２、図３および図４に示すように、駆動プーリ４４とアイドラプーリ５０とには、無端の表示ベルト５２が巻回されている。図２に示すように、この表示ベルト５２はプラスチックフィルム製で表面には複数種類の図柄５４が印刷されている。表示ベルト５２の一方の縁部５６には、１箇所の基準マーク５８と各図柄５４に対応する複数の図柄マーク６０とが設けられており、基準マーク５８は図柄マーク６０のほぼ２倍の長さ（表示ベルト５２の巻回方向長さ）である。また、表示ベルト５２自体は光を十分に透過させるが、基準マーク５８および図柄マーク６０は殆ど光を透過させない。
【００１８】
図２、図４および図５に示すように、表示ベルト５２の内側には回動軸部６２を基板２０軸支されたテンションパーツ６４が配されている。このテンションパーツ６４には、回動軸部６２とは反対の端部に一対のテンションローラ６６が装着されている。これらテンションローラ６６は、軸心廻りに回動自在である。また、図２および図４に示すように、テンションパーツ６４の回動軸部６２には、捻りばね６８が外嵌されている。この捻りばね６８の一方の端部は基板２０に固定され、他方の端部は回動軸部６２とテンションローラ６６との間に配された腕部７０に当接されている。この捻りばね６８の付勢力により、テンションパーツ６４は、図４に示されるように表示ベルト５２を内側から外側に押圧して表示ベルト５２のたるみを防止している。
【００１９】
図４に示すように、表示ベルト５２は、駆動プーリ４４、アイドラプーリ５０およびテンションローラ６６によって支承されている。また、表示ベルト５２が駆動プーリ４４とアイドラプーリ５０との間を移動する際には、基準マーク５８および図柄マーク６０が光センサ２９、３０の検出域を横断する構成である。このため、光センサ２９、３０の出力レベルは、基準マーク５８および図柄マーク６０が通過する毎にハイ／ローの変化をすることになる。
【００２０】
図８に示すように、光センサ２９、３０の出力信号は、検出部８０に入力される構成である。検出部８０では、光センサ２９と光センサ３０の出力レベルが共にローレベルとなったときを基準マーク５８の検出と判定し、光センサ２９の出力がローレベルで光センサ３０の出力がハイレベルとなったときを図柄マーク６０の検出と判定し、それらの判定結果に対応する信号を図柄制御部８２に送信する。
【００２１】
図柄制御部８２には、ステッピングモータ２６に駆動パルスを送出する駆動回路８４が接続されており、図柄制御部８２は、駆動回路８４を介してステッピングモータ２６の稼動、停止を制御できる。また、図柄制御部８２には、図柄決定部８６からの図柄指令が入力される構成であり、図柄制御部８２は、図柄決定部８６から指示される図柄指令に従って、各ステッピングモータ２６を制御し、それにより各表示ユニット１６における図柄表示を制御する。なお、これら検出部８０、図柄制御部８２、駆動回路８４、図柄決定部８６は、図５に示される制御基板４２に組み込まれている。
【００２２】
図柄決定部８６は、図示しないランダムカウンタを内蔵しており、遊技盤１４に設けられている始動入賞口からの入賞信号が入力される毎にランダムカウンタのカウント値が当たり値と一致するかを判定する。ここで、カウント値が当たり値と一致すれば、図柄決定部８６は、その当たり値に対応する配列の図柄指令を図柄制御部８２に送出する。この図柄指令は、各表示ユニット１６の表示図柄自体ではなく、基準マーク５８の検出後に何個の図柄マーク６０を検出したら表示ベルト５２の回動（正確にはステッピングモータ２６の稼動）を停止するかの指示として送出される。すなわち、この図柄指令が請求項３に記載の図柄マークの配列順位に相当しており、図柄決定部８６が停止位置指示手段に該当する。
【００２３】
また、この際には、図柄決定部８２は、その結果（当たりであること）を図示しない主制御部に送信する。主制御部は、例えば大入賞口を開放する等の大当たり処理を実行する。
一方、カウント値が当たり値と一致しなければ、図柄決定部８６は、カウント値に対応する配列の図柄指令を図柄制御部８２に送出する。
【００２４】
図柄制御部８２は、図柄指令に応じて、各表示ユニット１６の光センサ２９、３０で、基準マーク５８の検出後に、図柄指令された数の図柄マーク６０が検出された際に、その表示ユニット１６のステッピングモータ２６を停止させる。これにより、表示ベルト５２の回動は停止する。すべての表示ユニット１６の表示ベルト５２が停止すれば、図柄５４が確定表示される。
【００２５】
このように、光センサ２９、３０の信号に基づいて図柄５４の回動位置を検出して表示ベルト５２を停止させるのであるが、表示ベルト５２の縁部５６にごみ等が付着して汚れていると、この汚れを図柄マーク６０として誤検出しかねない。しかし、この実施例では、そのための対策が施されている。次に、その対策について説明する。
【００２６】
図６に示すように、駆動プーリ４４の一方の端部には、表示ベルト５２の縁部５６の軌跡に対応する部分に溝９０が設けられている。また溝９０とフランジ９２との間には、胴９４と整合する外径の支持域９６が設けられている。したがって、図柄マーク６０および基準マーク５８はもちろん、図柄マーク６０と図柄マーク６０の間の部分、図柄マーク６０と基準マーク５８の間の部分が、支持域９６との接触は別として、駆動プーリ４４の胴９４と接触することはない。
【００２７】
このため、溝９０部分では、駆動プーリ４４と表示ベルト５２との間に進入したごみ等が表示ベルト５２に押し付けられることはない。また、溝９０に進入したごみ等があっても、このようなごみ等が表示ベルト５２に接触することもない。さらに、溝９０の存在により基準マーク５８および図柄マーク６０が駆動プーリ４４との接触に伴う摩擦によって削られて、例えば剥落する等は防止される。
【００２８】
したがって、基準マーク５８、図柄マーク６０がごみ等で汚れたり、基準マーク５８および図柄マーク６０の軌跡とほぼ同じ軌跡で回動する部分に汚れが付着することもないので、光センサ２９、３０が、基準マーク５８や図柄マーク６０を正確に検出できなかったり、汚れ等をいずれかのマークとして誤検出することもない。その結果、表示ベルト５２を正確に停止させ所望の図柄５４を正しく表示することができる。
【００２９】
また、駆動プーリ４４のフランジ９２と溝９０との間に設けられた支持域９６が表示ベルト５２の縁部５６を支持する。
このため、表示ベルト５２の縁部５６が溝９０内に落下したり駆動プーリ４４から離れて踊ることもない。したがって、表示ベルト５２の縁部５６が変形したり傷ついたりすることは防止される。
【００３０】
図７に示すように、アイドラプーリ５０にも、フランジ１０２に隣接する支持域１０４と胴１０６との間に、溝１０８が設けられている。従って、アイドラプーリ５０においても、上述の駆動プーリ４４におけると同様の効果が得られる。よって、この実施例の図柄表示装置１０では、基準マーク５８、図柄マーク６０がごみ等で汚れたり、基準マーク５８および図柄マーク６０の軌跡とほぼ同じ軌跡で回動する部分に汚れが付着することもないので、光センサ２９、３０が、基準マーク５８や図柄マーク６０を正確に検出できなかったり、汚れ等をいずれかのマークとして誤検出することもない。その結果、表示ベルト５２を正確に停止させ所望の図柄５４を正しく表示することができる。
【００３１】
しかも、表示ベルト５２の縁部５６が溝９０、１０８内に落下したり駆動プーリ４４やアイドラプーリ５０から離れて踊ることもない。したがって、表示ベルト５２の縁部５６が変形したり傷ついたりすることは防止される。
なお、この実施例では、光センサ２９、３０が共働して基準位置センサおよび図柄位置センサとして機能し、図柄制御部８２および駆動回路８４が共働してモータ制御手段として機能している。また、図柄決定部８６が停止位置指示手段として機能している。
【００３２】
以上、実施例に従って、本発明について説明したが、本発明はこのような実施例に限定されるものではなく、本発明の要旨を逸脱しない範囲でさまざまに実施できることは言うまでもない。
例えば、実施例では、溝を１本としているが複数の溝を設けることも可能である。また、溝の方向はプーリの周方向に限られず、プーリの軸方向に沿って複数の溝を設けてもよい。
【００３３】
さらに、溝内にプーリの内側に貫通する穴を設けることも可能であり、このようにすれば、溝に落ち込んだごみ等がプーリの内側に落下し、溝に蓄積されることがなくなる。
【００３４】
【発明の効果】
以上説明したように、請求項１記載の表示ユニットによれば、基準マーク、図柄マークがごみ等で汚れたり、基準マークおよび図柄マークの軌跡とほぼ同じ軌跡で回動する部分に汚れが付着することもない。基準位置センサおよび図柄位置センサが、基準マークや図柄マークを正確に検出できなかったり、汚れ等をいずれかのマークとして誤検出することもない。したがって、この表示ユニットを備える図柄表示装置は、表示ベルトを正確に停止させ所望の図柄を正しく表示することができる。
【００３５】
しかも、駆動プーリおよびアイドラプーリの端部と溝との間に設けられた支持域が表示ベルトの縁部を支持するので、表示ベルトの縁部が溝内に落下したりプーリから離れて踊ることもない。したがって、表示ベルトの縁部が変形したり傷ついたりすることは防止される。さらに、請求項２記載のように溝内にプーリの内側に貫通する穴を設ければ、溝に落ち込んだごみ等がプーリの内側に落下し、溝に蓄積されることがなくなる。
【００３６】
請求項３記載の遊技機は、請求項１または２記載の表示ユニットを３個並置した構造を有する図柄表示装置を備え、停止位置指示手段及びモータ制御手段によって各表示ユニット毎にベルトの停止位置を制御するので、例えば横一列に表示される３図柄の同一をもって大当たりの表示とする遊技機において、請求項１または２による効果が得られる。
【図面の簡単な説明】
【図１】  実施例のパチンコ機の正面図である。
【図２】  実施例の図柄表示装置の表示ユニットの分解斜視図である。
【図３】  実施例の図柄表示装置の表示ユニットの正面図である。
【図４】  実施例の図柄表示装置の表示ユニットの側面図である。
【図５】  実施例の図柄表示装置の横断面図である。
【図６】  実施例の図柄表示装置の表示ユニットに装着されている駆動プーリの一部拡大図である。
【図７】  実施例の図柄表示装置の表示ユニットに装着されているアイドラプーリの一部拡大図である。
【図８】  実施例の図柄表示装置の制御機構のブロック図である。
【符号の説明】
１２・・・パチンコ機（遊技機）、
１４・・・遊技盤、
１６・・・表示ユニット、
２６・・・ステッピングモータ、
２９・・・光センサ（基準位置センサ、図柄位置センサ）、
３０・・・光センサ（基準位置センサ、図柄位置センサ）、
４２・・・制御基板、
４４・・・駆動プーリ、
５０・・・アイドラプーリ、
５２・・・表示ベルト、
５６・・・縁部、
５８・・・基準マーク、
６０・・・図柄マーク、
８０・・・検出部、
８２・・・図柄制御部（モータ制御手段）、
８４・・・駆動回路（モータ制御手段）、
８６・・・図柄決定部（停止位置指示手段）、
９０・・・溝、
９２・・・フランジ（端部）、
９６・・・支持域、
１０２・・・フランジ（端部）、
１０４・・・支持域、
１０８・・・溝。
【図１】
0003854785.tif 000002
【図２】
0003854785.tif 000003
【図３】
0003854785.tif 000004
【図４】
0003854785.tif 000005
【図５】
0003854785.tif 000006
【図６】
0003854785.tif 000007
【図７】
0003854785.tif 000008
【図８】
0003854785.tif 000009